(57)【要約】【課題】媒体経路内面との接触による被記録媒体の傷付きを抑制することが可能な記録装置を提供する。【解決手段】記録装置１は、被記録媒体（Ｒ３）を支持する媒体支持部（５１）と、被記録媒体（Ｒ３）に記録を行う記録部１２と、搬送される被記録媒体（Ｒ３）を挟む第一及び第二の内面３１，３２を有する媒体経路３０と、を備える。第一の内面３１は、搬送される被記録媒体（Ｒ３）の方へ膨らんだ形状である。被記録媒体（Ｒ３）の搬送方向Ｄ４へ並ぶ複数のローラー３３が第一の内面３１に配置されている。【選択図】図１
2014188797.tif 000002
【特許請求の範囲】
【請求項１】
被記録媒体を支持する媒体支持部と、
前記被記録媒体に記録を行う記録部と、
搬送される前記被記録媒体を挟む第一及び第二の内面を有する媒体経路と、を備え、
前記第一の内面は、搬送される前記被記録媒体の方へ膨らんだ形状であり、
被記録媒体の搬送方向へ並ぶ複数のローラーが前記第一の内面に配置されている、記録装置。
【請求項２】
前記媒体経路内で前記搬送方向に隣り合う二つのローラーの共通接線は、該二つのローラーの間にある前記第一の内面に接しない、請求項１に記載の記録装置。
【請求項３】
前記第二の内面は、搬送される前記被記録媒体とは反対側へ凹んだ形状であり、
第二のローラーが前記第二の内面に配置されている、請求項１又は請求項２に記載の記録装置。
【請求項４】
前記第二のローラーは、前記第一の内面に配置された前記搬送方向に隣り合う二つのローラーの間となる位置の前記第二の内面に配置されている、請求項３に記載の記録装置。
【請求項５】
前記第一の内面には、長手方向を前記搬送方向に向けた延出部が形成されている、請求項１〜請求項４のいずれか一項に記載の記録装置。
【請求項６】
前記第二の内面は、長手方向を前記搬送方向に向けた延出部の無い曲面状に形成されている、請求項３又は請求項４に記載の記録装置。
【発明の詳細な説明】
【技術分野】
【０００１】
本発明は、記録装置に関する。
【背景技術】
【０００２】
大型のインクジェットプリンター等の記録装置には、ロール紙装着部に装着されたロール紙（被記録媒体）からシートを繰り出し媒体経路に通して印刷を行うものがある。このような記録装置の媒体経路は、印刷を行う記録部とロール紙装着部との位置関係に応じて曲がっている。媒体経路の途中には、例えば、記録部の手前でシートを挟持する搬送ローラー対や、該搬送ローラー対にシートを給紙する給紙ローラー対が設けられる。
【先行技術文献】
【特許文献】
【０００３】
【特許文献１】特開平５−１８６０７８号公報
【発明の概要】
【発明が解決しようとする課題】
【０００４】
印刷時に搬送ローラー対でシートを挟持して搬送する際、曲がった媒体経路の内周側の内面にシートが接触することがある。この場合、内周側の内面に対向したシート面に擦過傷が生じることがある。また、新たなロール紙を給紙する際、曲がった媒体経路の外周側の内面にシートが接触することがある。この場合、外周側の内面に対向したシート面に擦過傷が生じることがある。
上記の問題は、インクジェットプリンターに限らず、種々の記録装置に同様に存在する。
【０００５】
なお、特許文献１に記載の画像記録装置は、カットシートを給紙する装置であるため、ロール紙について生じる上記問題が考慮されていない。この画像記録装置は、カットシートのジャムを防止するために搬送路が曲げられている。この装置も、印刷時にレジストローラー対でカットシートを挟持して搬送する際、用紙ガイドにカットシートが接触し、内周側用紙ガイドに対向したシート面や外周側用紙ガイドに対向したシート面に擦過傷が生じることがある。
【０００６】
以上を鑑み、本発明の目的の一つは、媒体経路内面との接触による被記録媒体の傷付きを抑制することが可能な記録装置を提供することにある。
【課題を解決するための手段】
【０００７】
本発明の態様の一つとして、本発明の記録装置は、被記録媒体を支持する媒体支持部と、
前記被記録媒体に記録を行う記録部と、
搬送される前記被記録媒体を挟む第一及び第二の内面を有する媒体経路と、を備え、
前記第一の内面は、搬送される前記被記録媒体の方へ膨らんだ形状であり、
被記録媒体の搬送方向へ並ぶ複数のローラーが前記第一の内面に配置されている、態様を有する。
【０００８】
すなわち、搬送される被記録媒体の方へ膨らんだ形状の媒体経路内面に複数のローラーが被記録媒体の搬送方向へ並べられているので、膨らんだ形状の媒体経路内面に被記録媒体が直接擦れることが抑制される。従って、上記態様は、搬送される被記録媒体の方へ膨らんだ形状の媒体経路内面との接触による被記録媒体の傷付きを抑制することが可能な記録装置を提供することができる。
【０００９】
ここで、上記記録装置には、インクジェットプリンター、ワイヤドットプリンター、レーザープリンター、ラインプリンター、複写機、ファクシミリ、等が含まれる。
第一及び第二の内面は、媒体経路内面の一部でもよい。このため、第一の内面の媒体経路下流側に第二の内面が繋がっていてもよいし、第二の内面の媒体経路下流側に第一の内面が繋がっていてもよい。
【００１０】
ところで、前記媒体経路内で前記搬送方向に隣り合う二つのローラーの共通接線は、該二つのローラーの間にある前記第一の内面に接しなくてもよい。この態様は、膨らんだ形状の媒体経路内面と被記録媒体との接触をより効果的に減らすことができるので、被記録媒体の傷付きを抑制することが可能な好ましい例を提供することができる。
【００１１】
搬送される前記被記録媒体とは反対側へ凹んだ形状の前記第二の内面に第二のローラーが配置されてもよい。この態様は、凹んだ形状の媒体経路内面に被記録媒体が直接擦れることが抑制されるので、被記録媒体の供給時に被記録媒体とは反対側へ凹んだ形状の媒体経路内面との接触による被記録媒体の傷付きを抑制することが可能な記録装置を提供することができる。
【００１２】
前記第二のローラーは、前記第一の内面に配置された前記搬送方向に隣り合う二つのローラーの間となる位置の前記第二の内面に配置されてよい。この態様は、ローラー数を抑えながら媒体経路内面との接触による被記録媒体の傷付きを抑制することが可能な例を提供することができる。
【００１３】
前記第一の内面には、長手方向を前記搬送方向に向けた延出部が形成されてもよい。この態様は、膨らんだ形状の媒体経路内面と被記録媒体との接触をより効果的に減らすことができるので、搬送される被記録媒体の方へ膨らんだ形状の媒体経路内面との接触による被記録媒体の傷付きを抑制することが可能な好ましい例を提供することができる。
【００１４】
前記第二の内面は、長手方向を前記搬送方向に向けた延出部の無い曲面状に形成されてもよい。被記録媒体の供給時には被記録媒体の先端部が保持されていないので、凹んだ形状の媒体経路内面に被記録媒体が接触し易い。凹んだ形状の媒体経路内面に前記延出部があると、該内面と被記録媒体との接触面積が少なくなる結果、かえって被記録媒体に擦過傷が生じ易くなってしまう。従って、本態様は、被記録媒体の供給時に被記録媒体とは反対側へ凹んだ形状の媒体経路内面との接触による被記録媒体の傷付きを抑制することが可能な好ましい例を提供することができる。
【図面の簡単な説明】
【００１５】
【図１】媒体経路３０の要部を模式的に例示する図。
【図２】記録装置１の外観を例示する斜視図。
【図３】記録装置１を例示する縦断面図。
【図４】媒体経路３０の内周側の内面（第一の内面）３１を例示する背面図。
【図５】媒体経路３０の外周側の内面（第二の内面）３２を例示する正面図。
【図６】媒体経路の内面３１，３２を例示する横断面図。
【図７】記録装置１の作用を例示する側面図。
【発明を実施するための形態】
【００１６】
以下、本発明の実施形態を説明する。むろん、以下の実施形態は本発明を例示するものに過ぎず、実施形態に示す特徴の全てが発明の解決手段に必須になるとは限らない。
【００１７】
図１は、本技術の例を説明するため記録装置の媒体経路３０の要部を模式的に例示する図である。図２は、記録装置１の例として大型のインクジェットプリンターの外観を示す斜視図である。図３は、スタッカー１９を省略して記録装置１を示す縦断面図である。図４は、媒体経路３０の内周側の内面３１を例示する背面図である。図５は、媒体経路３０の外周側の内面３２を例示する正面図である。図６は、媒体経路の内面３１，３２を例示する横断面図である。
【００１８】
上述した図中、符号Ｄ１は、筐体１０に対する給紙ユニット５０のスライド方向を示している。符号Ｄ２は、スライド方向一方側である引出方向を示している。符号Ｄ３は、スライド方向他方側である収容方向を示している。符号Ｄ４は、スライド方向Ｄ１と交わるシート（被記録媒体）Ｒ３の搬送方向を示している。符号Ｄ５は、外周側の内面３２から内周側の内面３１へ向かう内方向である。符号Ｄ６は、内周側の内面３１から外周側の内面３２へ向かう外方向である。符号Ｄ７は、搬送方向Ｄ４及び内外方向Ｄ５，Ｄ６に直交する記録装置幅方向を示している。図１は媒体経路３０を幅方向Ｄ７の外側から側面視した図であり、図３は記録装置１を幅方向Ｄ７の外側から側面視した図である。
【００１９】
なお、分かり易く示すため、各図は整合していないことがある。
また、本明細書で説明する位置関係は、発明を説明するための例示に過ぎず、発明を限定するものではない。従って、筐体の下以外の位置、例えば、上、左、右、といった位置に給紙ユニットが配置されることなども、本発明に含まれる。
【００２０】
上述した図に示す記録装置１は、筐体１０と、この筐体１０に対してスライド可能に設けられた給紙ユニット５０とを備え、装置上部奥の第一ロール紙Ｒ１と装置下部の第二ロール紙Ｒ２とを切り替えて印刷する（記録を行う）ことが可能である。ロール紙は、シートをロール状に巻いた連続紙である。両ロール紙Ｒ１，Ｒ２は、外側が印刷面とされている。むろん、繰り出し機構２１，５１の位置を変えると、内側が印刷面とされたロール紙も使用可能である。ロール紙には、紙、布、プラスチックシート、皮革、等、種々の材質の巻回シートを使用することができる。
図３に示すように、筐体１０は、制御部１１、記録部１２、搬送ローラー対（１５，１６）、排出部１７、カッター１８、スタッカー１９、第一ロール紙用の媒体経路２０及び給紙機構（２１〜２５）、第二ロール紙用の第一媒体経路４０及びコロローラー（従動ローラー）３３，３４、等を備えている。
【００２１】
制御部１１は、ＣＰＵ（Central Processing Unit）、ＲＯＭ（Read Only Memory）、ＲＡＭ（Random Access Memory）等を有し、外部のホスト装置から記録出力の指令を受け取ってシート状の被記録媒体に印刷する等、記録装置１の各部の動作を制御する。印刷対象の被記録媒体は、ロール紙Ｒ１，Ｒ２の一方から引き出された部分であり、第二ロール紙Ｒ２の場合には連続したシートＲ３である。
記録部１２は、記録ヘッド１３とプラテン１４を有している。記録ヘッド１３は、プラテン１４と対向する上側に配置され、インクを被記録媒体に対して吐出して記録可能である。プラテン１４は、被記録媒体を支持し、被記録媒体と記録ヘッド１３との間を所定の距離にする。
【００２２】
搬送ローラー対（１５，１６）は、下側に配置された駆動ローラー１５と、上側に配置された従動ローラー１６とを備える。従動ローラー１６は、駆動ローラー１５から離間可能であり、近接時に駆動ローラー１５とで被記録媒体を挟持する。
排出部１７から送り出される被記録媒体は、カッター１８で切断されて搬送ローラー対（１５，１６）の挟持から解放されると、スタッカー１９にスタックされる。
【００２３】
第一ロール紙用の給紙機構は、第一ロール紙Ｒ１を支持する繰り出し機構２１、給紙ローラー対（２２，２３）、コロローラー（従動ローラー）２４，２５、等を備えている。給紙ローラー対（２２，２３）は、媒体経路２０の外周側に配置された駆動ローラー２２と、媒体経路２０の内周側に配置された従動ローラー２３とを備える。従動ローラー２３は、駆動ローラー２２から離間可能であり、近接時に駆動ローラー２２とで被記録媒体を挟持する。コロローラー２４は、媒体経路２０の内周側の壁にあり、この壁の内面から少し媒体経路２０内に出ている。コロローラー２５は、媒体経路２０の外周側の壁にあり、この壁の内面から少し媒体経路２０内に出ている。
繰り出し機構２１に装着した新たな第一ロール紙Ｒ１の給紙時、ユーザーは、まず、給紙ローラー対（２２，２３）の間にロール紙Ｒ１の先端部を入れることになる。その後、繰り出し機構２１がロール紙Ｒ１を繰り出すとともに繰り出されたシートを給紙ローラー対（２２，２３）が挟持して搬送ローラー対（１５，１６）の方へ搬送し、搬送ローラー対（１５，１６）がシートを挟持する。印刷時には、搬送ローラー対（１５，１６）がシートをプラテン１４上に搬送し、記録ヘッド１３がインクを吐出してシートに記録を行う。
【００２４】
給紙ユニット５０は、第二ロール紙Ｒ２を支持する繰り出し機構（媒体支持部）５１、給紙ローラー対（５２，５３）、媒体検出センサー５４、第二媒体経路６０の内周側の壁にある第一のローラーであるコロローラー（従動ローラー）３３、等を備えている。給紙ユニット５０は、収容位置Ｌ１と引出位置との間でスライド可能であり、制御部１１と電気的に接続されている。
給紙ローラー対（５２，５３）は、第二媒体経路６０の内周側に配置された駆動ローラー５２と、第二媒体経路６０の外周側に配置された従動ローラー５３とを備える。従動ローラー５３は、駆動ローラー５２から離間可能であり、近接時に駆動ローラー５２とでシートＲ３を挟持する。媒体検出センサー５４は、第二媒体経路６０において給紙ローラー対（５２，５３）の手前にシートＲ３が供給されているか否かを検出する。
【００２５】
繰り出し機構５１に装着した新たな第二ロール紙Ｒ２の給紙時、ユーザーは、まず、給紙ローラー対（５２，５３）の間にロール紙Ｒ２の先端部Ｒ４を入れることになる。その後、繰り出し機構５１がロール紙Ｒ２を繰り出すとともに繰り出されたシートＲ３を第二媒体経路６０内の給紙ローラー対（５２，５３）が挟持して第一媒体経路４０の方へ搬送する。このとき、ロール紙Ｒ２の巻き癖によっては、シート先端部Ｒ４が曲がって一方側壁部４１，６１に接触することもあれば他方側壁部４２，６２に接触することもある。そして、第一媒体経路４０を通り過ぎて搬送ローラー対（１５，１６）の間に搬送されたシートＲ３を搬送ローラー対（１５，１６）が挟持する。その後、給紙ローラー対（５２，５３）はシートＲ３を挟持から解放してもよい。印刷時（記録時）には、搬送ローラー対（１５，１６）がシートＲ３をプラテン１４上に搬送し、記録ヘッド１３がインクを吐出してシートＲ３に記録を行う。一連の動作は、制御部１１が制御する。媒体検出センサー５４でシートＲ３が検出されないとき、制御部１１は、前述の一連の動作を行わない。
上述した給紙時、給紙ローラー対（５２，５３）から媒体経路下流側のシートＲ３は、搬送ローラー対（１５，１６）に挟持されるまでは該搬送ローラー対に引っ張られないので、テンションが加わらない。印刷時には、媒体経路上流側のシートＲ３が繰り出し機構５１に保持され、媒体経路下流側のシートＲ３が搬送ローラー対（１５，１６）に引っ張られるので、シートＲ３にテンションが加わる。
【００２６】
なお、ローラー対を構成する駆動ローラー及び従動ローラーは、上述した位置関係の逆の配置でもよい。また、従動ローラーの代わりに駆動ローラーを用いてローラー対を一対の駆動ローラーで構成してもよい。
【００２７】
上述した第一媒体経路４０及び第二媒体経路６０は、本技術の媒体経路３０を構成する。
図１に示すように、媒体経路３０は、搬送されるシート（被記録媒体）Ｒ３を挟む第一及び第二の内面３１，３２を有する。ここで、第一の内面３１は、搬送されるシートＲ３の一方の面（内側面Ｒ５）に対向する面であり、図１の例では曲がった媒体経路３０の曲率中心側（内周側）の内面であり、凸面である。第二の内面３２は、搬送されるシートＲ３の他方の面（外側面Ｒ６）に対向する面であり、図１の例では媒体経路３０の外周側の内面であり、凹面である。図３の媒体経路３０は、比較的曲率の小さい（曲率半径の大きい）略鉛直向きの小曲率部３０ａの上流及び下流に、比較的曲率の大きい（曲率半径の小さい）大曲率部３０ｂ，３０ｃが配置されている。大曲率部３０ｂの上流側には給紙ローラー対（５２，５３）が配置され、大曲率部３０ｃの下流側には搬送ローラー対（１５，１６）が配置されている。
【００２８】
内周側の内面３１は、図３，４に示すように第一の一方側壁部４１及び第二の一方側壁部６１で構成され、搬送されるシートＲ３の方（外方向Ｄ６）へ膨らんだ形状とされている。内周側内面３１の膨らんだ形状とは、内面３１が外周側内面３２に向かう方向に凸であることを意味する。第一の一方側壁部４１における第二の一方側壁部６１側の縁部４１ａは、矩形状の凸部４１ｂ及び凹部４１ｃが交互に繰り返されたくし歯状に形成されている。第二の一方側壁部６１における第一の一方側壁部４１側の縁部６１ａは、矩形状の凸部６１ｂ及び凹部６１ｃが交互に繰り返されたくし歯状に形成されている。具体的には、引出方向Ｄ２及び収容方向Ｄ３から見て、第一の一方側壁部４１の凹部４１ｃに間隔を空けて第二の一方側壁部６１の凸部６１ｂが入り込み、第二の一方側壁部６１の凹部６１ｃに間隔を空けて第一の一方側壁部４１の凸部４１ｂが入り込んでいる。
また、図４，６に示すように、内周側の内面３１には、長手方向をシートＲ３の搬送方向Ｄ４に向けたリブ（延出部）３１ｒが形成されている。リブ３１ｒは、内面３１の基底面３１ｓからローラー３３の出っ張りを越えない範囲内で外方向Ｄ６へ延出している。
【００２９】
外周側の内面３２は、図３，５に示すように第一の他方側壁部４２及び第二の他方側壁部６２で構成され、搬送されるシートＲ３とは反対側（内方向Ｄ５）へ凹んだ形状とされている。給紙ユニット５０が収容位置Ｌ１にあるとき、第二の他方側壁部６２の縁部６２ａは、第一の他方側壁部４２の縁部４２ａに対して引出方向Ｄ２側に離間した位置となる。図５，６に示すように、外周側の内面３２は、内周側の内面３１とは異なり、長手方向を搬送方向Ｄ４に向けた延出部の無い曲面状に形成されている。
【００３０】
図３，４に示すように、内周側の内面３１には、シートＲ３の搬送方向Ｄ４へ並ぶ複数の第一のローラーであるコロローラー３３が配置されている。搬送方向Ｄ４へ並んだローラー３３の列は、幅方向Ｄ７に複数配置されている。各ローラー３３は、回転軸を幅方向Ｄ７に向けて一方側壁部４１，６１に取り付けられており、内面３１、具体的にはリブ３１ｒから少し媒体経路３０内（外方向Ｄ６）に出ている。図１の内面３１を表す曲線は、リブ３１ｒの延出端に相当する。
【００３１】
上述したように、印刷時には、搬送ローラー対（１５，１６）からの引っ張り力によりシートＲ３にテンションが加わり、シートＲ３が媒体経路３０の内周側に引き寄せられることがある。特開平5-186078号公報に記載の画像記録装置のように内周側内面に搬送方向へのローラーの並びが無い場合、搬送されるシートの内側面が内周側内面に擦れてしまい、シート内側面に擦過傷が生じる可能性がある。なお、前記画像記録装置の技術は、カットシートのジャム防止に関するため、ロール紙のような連続紙の擦過傷について考慮していない。ロール紙のような長尺紙は、印刷動作中に紙の一部が媒体経路に待機するため、待機状態によっては擦過傷や搬送精度低下といった印刷結果への悪影響が生じる可能性がある。第一のローラー３３は、このような擦過傷等の悪影響を抑制する。
【００３２】
図１に例示するように、媒体経路３０内で搬送方向Ｄ４に隣り合う二つのローラー３３の共通接線ＴＬ１は、二つのローラー３３の間にある内周側の内面３１ｂに接しない。むろん、共通接線ＴＬ１は、搬送方向Ｄ４及び内外方向Ｒ５，Ｒ６を通る断面、すなわち、シートＲ３の幅方向（Ｄ７）に直交する縦断面において媒体経路３０内に出た部分の隣り合うローラーに共通の接線である。ローラー数を抑えながら共通接線ＴＬ１と第一のローラー３３間の内面３１ｂとが交わらないようにするため、小曲率部３０ａで隣り合うローラー３３３，３３４の間隔は比較的広く、大曲率部３０ｂで隣り合うローラー３３１，３３２の間隔や大曲率部３０ｃで隣り合うローラー３３５，３３６の間隔は、比較的狭くされている。
【００３３】
図３，５に示すように、外周側の内面３２には、シートＲ３の搬送方向Ｄ４へ並ぶ複数の第二のローラーであるコロローラー３４が配置されている。搬送方向Ｄ４へ並んだローラー３４の列は、幅方向Ｄ７に複数配置されている。各ローラー３４は、回転軸を幅方向Ｄ７に向けて第一の他方側壁部４２の小曲率部３０ａに取り付けられており、内面３２から少し媒体経路３０内（内方向Ｄ５）に出ている。
上述したように、給紙時にシートＲ３が搬送ローラー対（１５，１６）に挟持されるまでは、該搬送ローラー対によるテンションがシートＲ３に加わらず、シートＲ３が媒体経路３０の外周側に寄ってしまうことがある。シートＲ３が硬い場合には、特に外周側に寄り易い。特開平5-186078号公報に記載の画像記録装置のように第二のローラーが無い場合、搬送されるシートの外側面が外周側内面に擦れてしまい、シート外側面に擦過傷が生じる可能性がある。第二のローラー３４は、このような擦過傷等の悪影響を抑制する。特に、大曲率部３０ｂの下流に小曲率部３０ａがある場合、シートＲ３が小曲率部３０ａの外周側内面３２に擦れ易いので、小曲率部３０ａに第二のローラーがあると効果的である。
【００３４】
図１の例では、内周側の内面３１に配置された搬送方向Ｄ４に隣り合う二つの第一のローラー３３の間となる位置の外周側の内面３２ｂに第二のローラー３４が配置されている。図１において、第二のローラー３４１は第一のローラー３３２，３３３の間の内面３２ｂに配置され、第二のローラー３４２は第一のローラー３３３，３３４の間の内面３２ｂに配置され、第二のローラー３４３は第一のローラー３３４，３３５の間の内面３２ｂに配置されている。第二のローラー３４の位置は、ローラー数を抑えながら外周側の内面３２との接触によるシートＲ３の傷付き抑制効果を大きくする観点から略中間位置が好ましいものの、略中間位置でなくても第一のローラー３３と対向しない位置であればローラー数を抑えながら傷付き抑制効果が得られる。また、第二のローラー３４が搬送方向Ｄ４に一つしかなくても、傷付き抑制効果が得られる。
【００３５】
次に、記録装置１の作用及び効果を説明する。
上述したように、搬送されるシートＲ３の方へ膨らんだ内周側の第一の内面３１に複数のローラー３３が搬送方向Ｄ４に並べられているので、シートＲ３の内側面Ｒ５が内面３１に直接擦れることが抑制される。特に、印刷時には繰り出し機構５１から繰り出されるシートＲ３が搬送ローラー対（１５，１６）に挟持されて引っ張られるので、図７に示すシートＲ３１のように、搬送方向Ｄ４に隣り合うローラー３３の共通接線ＴＬ１に沿ってシートＲ３１が配置されることがある。この場合、共通接線ＴＬ１が内面３１から離間しているので、シート内側面Ｒ５と媒体経路内面３１との接触をより効果的に減らすことができる。
以上より、本記録装置１は、搬送されるシートＲ３の方へ膨らんだ形状の媒体経路内面３１との接触によるシート内側面Ｒ５の傷付きを抑制することが可能である。
【００３６】
また、図４，６に示すように内周側の内面３１に長手方向を搬送方向Ｄ４に向けたリブ３１ｒが形成されているので、シート内側面Ｒ５と内面３１との接触をより効果的に減らすことができる。また、接触面積が少なくなることにより、静電気が抑制される。これらの点でも、本記録装置１は、内周側の内面３１との接触によるシート内側面Ｒ５の傷付きを抑制することが可能である。
【００３７】
さらに、搬送されるシートＲ３とは反対側へ凹んだ外周側の第二の内面３２に第二のローラー３４が配置されているので、図７に示すシートＲ３２のように、シートＲ３２の外側面Ｒ６が内面３２に直接擦れることが抑制される。特に、外周側の内面３２に複数のローラー３４が搬送方向Ｄ４に並べられているので、シート外側面Ｒ６と内面３１との接触をより効果的に減らすことができる。
以上より、本記録装置１は、搬送されるシートＲ３とは反対側へ凹んだ形状の媒体経路内面３２との接触によるシート外側面Ｒ６の傷付きを抑制することが可能である。
【００３８】
また、第二のローラー３４は、内周側の内面３１に配置された搬送方向Ｄ４に隣り合うローラー３３の間となる位置の外周側の内面３２ｂに配置されている。従って、本記録装置１は、ローラー数を抑えながら媒体経路内面３２との接触によるシート外側面Ｒ６の傷付きを抑制することが可能である。
【００３９】
なお、新たな第二ロール紙Ｒ２の給紙時、繰り出し機構５１から繰り出され給紙ローラー対（５２，５３）で送られるシートＲ３２の先端部Ｒ４は搬送ローラー対（１５，１６）に到達するまで保持されないので、外周側の内面３２にシート外側面Ｒ６が接触し易い。ここで、外周側の内面３２に内周側内面３１のようなリブがあると、シート外側面Ｒ６と外周側内面３２との接触面積が少なくなる結果、かえってシート外側面Ｒ６に擦過傷が生じ易くなってしまう。本記録装置１は、図５，６に示すように外周側の内面３２が長手方向を搬送方向Ｄ４に向けたリブの無い曲面状に形成されているので、シート外側面Ｒ６に加わる力が分散し、給紙時に搬送されるシートＲ３とは反対側へ凹んだ形状の媒体経路内面３２との接触によるシート外側面Ｒ６の傷付きを抑制することが可能である。
【００４０】
なお、本発明は、種々の変形例が考えられる。
例えば、本発明を適用可能な被記録媒体は、ロール紙以外にも、折り畳んだ連続紙、カット紙、等でもよい。
記録装置は、複数の被記録媒体を切り替えて記録を行う装置以外にも、一つの被記録媒体に記録を行う装置でもよい。
第一及び第二のローラーには、駆動ローラーが含まれてもよい。
媒体経路がＳ字状等に屈曲する場合、搬送される被記録媒体の方へ膨らんだ部分の媒体経路内面が第一の内面となり、搬送される被記録媒体とは反対側へ凹んだ部分の媒体経路内面が第二の内面となる。従って、膨らんだ第一の内面の媒体経路下流側に凹んだ第二の内面が繋がっていてもよいし、凹んだ第二の内面の媒体経路下流側に膨らんだ第一の内面が繋がっていてもよい。
【００４１】
媒体経路は、第一及び第二の内面の間隔が一定でなくてもよい。例えば、内周側内面が搬送されるシートの方へ膨らんだ形状であれば、外周側内面は平面などシートとは反対側へ凹んでいなくてもよい。内周側内面に複数の第一のローラーがあれば、内周側内面との接触による被記録媒体の傷付きが抑制される効果が得られる。
【００４２】
また、外周側内面が搬送されるシートとは反対側へ凹んだ形状であれば、内周側内面は平面などシートの方へ膨らんでいなくてもよい。外周側内面に第二のローラーがあれば、被記録媒体の供給時に外周側内面との接触による被記録媒体の傷付きが抑制される効果が得られる。
【００４３】
以上のことから、本発明の記録装置は、被記録媒体を支持する媒体支持部と、
前記被記録媒体に記録を行う記録部と、
搬送される前記被記録媒体を挟む第一及び第二の内面を有する媒体経路と、を備え、
前記第二の内面は、搬送される前記被記録媒体とは反対側へ凹んだ形状であり、
ローラーが前記第二の内面に配置されている、別の側面を有する。
【００４４】
すなわち、搬送される被記録媒体とは反対側へ凹んだ形状の媒体経路内面にローラーが配置されているので、凹んだ形状の媒体経路内面に被記録媒体が直接擦れることが抑制される。従って、上記側面は、被記録媒体の供給時に被記録媒体とは反対側へ凹んだ形状の媒体経路内面との接触による被記録媒体の傷付きを抑制することが可能な記録装置を提供することができる。
【００４５】
以上説明したように、本発明によると、種々の態様により、媒体経路内面との接触による被記録媒体の傷付きを抑制することが可能な技術等を提供することができる。むろん、従属請求項に係る構成要件を有しておらず独立請求項及び上記別の側面に係る構成要件のみからなる技術等でも、上述した基本的な作用、効果が得られる。
また、上述した実施形態及び変形例の中で開示した各構成を相互に置換したり組み合わせを変更したりした構成、公知技術並びに上述した実施形態及び変形例の中で開示した各構成を相互に置換したり組み合わせを変更したりした構成、等も実施可能である。本発明は、これらの構成等も含まれる。
【符号の説明】
【００４６】
１…記録装置、１０…筐体、１２…記録部、１５，１６…搬送ローラー対、３０…媒体経路、３０ａ…小曲率部、３０ｂ，３０ｃ…大曲率部、３１…内周側の内面（第一の内面）、３１ｂ…第一のローラー間の内面、３１ｒ…リブ（延出部）、３１ｓ…基底面、３２…外周側の内面（第二の内面）、３２ｂ…第一のローラー間の内面、３３…第一のローラー、３４…第二のローラー、４０…第一媒体経路、４１…第一の一方側壁部、４２…第一の他方側壁部、５０…給紙ユニット、５１…繰り出し機構（媒体支持部）、５２，５３…給紙ローラー対、６０…第二媒体経路、６１…第二の一方側壁部、６２…第二の他方側壁部、Ｄ１…スライド方向、Ｄ４…搬送方向、Ｄ５…内方向、Ｄ６…外方向、Ｄ７…幅方向、Ｒ１，Ｒ２…ロール紙、Ｒ３…シート、Ｒ４…先端部、Ｒ５…内側面、Ｒ６…外側面、ＴＬ１…共通接線。
【図１】
2014188797.tif 000003
【図２】
2014188797.tif 000004
【図３】
2014188797.tif 000005
【図４】
2014188797.tif 000006
【図５】
2014188797.tif 000007
【図６】
2014188797.tif 000008
【図７】
2014188797.tif 000009